(57)【要約】【課題】かご内に発生した異常をより正確に検出して、かご内に異常が発生した旨の信号を外部に送信することができるエレベータのかご内監視装置を得る。【解決手段】かご１内の人を検出する人感センサ２と、かご１内の音を検出する高音声センサ３と、人感センサ２がかご１内の人を検出し、さらに、高音声センサ３がかご１内の音を検出することにより、かご１内に異常が発生した旨の信号を情報センタ表示部１２に送る送信装置１０とを備えている。【選択図】図１
2012012127.tif 000002
【特許請求の範囲】
【請求項１】
かご内の人を検出する人検出装置と、
前記かご内の音を検出する音検出装置と、
前記人検出装置が前記かご内の人を検出し、さらに、前記音検出装置が前記かご内の音を検出することにより、前記かご内に異常が発生した旨の信号を外部に送る送信装置とを備えたことを特徴とするエレベータのかご内監視装置。
【請求項２】
前記かご内の映像を撮影する撮影装置と、
前記撮影装置により撮影された映像を用いて、前記かご内における前記人の暴れ動作を検出する動作検出装置とをさらに備え、
前記送信装置は、前記動作検出装置が前記人の暴れ動作を検出することにより、前記信号を前記外部に送ることを特徴とする請求項１に記載のエレベータのかご内監視装置。
【請求項３】
前記かご内の映像を撮影する撮影装置と、
前記撮影装置により撮影された映像を用いて、前記かご内における前記人の暴れ動作を検出する動作検出装置とをさらに備え、
前記送信装置は、前記人検出装置が前記かご内の人を検出し、さらに、前記動作検出装置が前記人の暴れ動作を検出することにより、前記信号を前記外部に送ることを特徴とする請求項１に記載のエレベータのかご内監視装置。
【発明の詳細な説明】
【技術分野】
【０００１】
この発明は、かご内に異常が発生した旨の信号を外部に送信するエレベータのかご内監視装置に関する。
【背景技術】
【０００２】
従来、例えば、かご内で女性の叫び声等の音を検出する高音声検出装置と、高音声検出装置がかご内の音を検出することにより、かご内に異常が発生した旨の信号を外部に送る送信装置とを備えたエレベータのかご内監視装置が知られている（例えば、特許文献１参照）。
【先行技術文献】
【特許文献】
【０００３】
【特許文献１】特開２００７−２３０７３２号公報
【発明の概要】
【発明が解決しようとする課題】
【０００４】
しかしながら、高音声検出装置は、かご外で発生した騒音を検出してしまい、送信装置は、かご内に異常が発生していないにもかかわらず、かご内に異常が発生した旨の信号を情報センタに送信してしまうという問題点があった。
【０００５】
この発明は、かご内に発生した異常をより正確に検出して、かご内に異常が発生した旨の信号を外部に送信することができるエレベータのかご内監視装置を提供するものである。
【課題を解決するための手段】
【０００６】
この発明に係るエレベータのかご内監視装置は、かご内の人を検出する人検出装置と、前記かご内の音を検出する音検出装置と、前記人検出装置が前記かご内の人を検出し、さらに、前記音検出装置が前記かご内の音を検出することにより、前記かご内に異常が発生した旨の信号を外部に送る送信装置とを備えている。
【発明の効果】
【０００７】
この発明に係るエレベータのかご内監視装置によれば、送信装置は、人検出装置がかご内の人を検出し、さらに、音検出装置がかご内の音を検出することにより、かご内に異常が発生した旨の信号を外部に送るので、かご内に人がいないときには、音検出装置がかご外で発生した騒音を誤検出しても、かご内に異常が発生した旨の信号が外部に送られることが防止される。これにより、かご内に発生した異常をより正確に検出して、かご内に異常が発生した旨の信号を外部に送ることができる。
【図面の簡単な説明】
【０００８】
【図１】この発明の実施の形態１に係るエレベータのかご内監視装置を示すブロック図である。
【発明を実施するための形態】
【０００９】
実施の形態１．
図１はこの発明の実施の形態１に係るエレベータのかご内監視装置を示すブロック図である。図において、かご１の上部には、人感センサ（人検出装置）２と、高音声センサ（音検出装置）３と、監視カメラ（撮影装置）４とが設けられている。人感センサ２は、かご１内の人から発せられる赤外線を受けることにより、かご１内の人を検出する。高音声センサ３は、例えば、かご１内に発生した女性の悲鳴等の高音を検出する。監視カメラ４は、かご１内の映像を撮影する。
【００１０】
監視カメラ４には、画像処理装置（動作検出装置）５が接続されている。画像処理装置５は、監視カメラ４により撮影された映像が送られるようになっている。画像処理装置５は、監視カメラ４により撮影された映像を用いて、かご１内における人の暴れ動作を検出する。画像処理装置５は、例えば、画像の中の動く部分を検出することにより、かご１内における人の暴れ動作を検出する。画像処理装置５には、映像録画装置６が接続されている。映像録画装置６は、画像処理装置５が受けた映像が画像処理装置５から送られるようになっている。なお、映像録画装置６は、監視カメラ４により撮影された映像が監視カメラ４から直接送られるようにしてもよい。映像録画装置６は、監視カメラ４により撮影された映像を録画する。
【００１１】
人感センサ２および高音声センサ３のそれぞれは、第１のアンド素子７へ送信可能となっている。人感センサ２は、人感センサ２がかご１内の人を検出することにより、第１のアンド素子７へ信号を送る。高音声センサ３は、高音声センサ３がかご１内に発生した高音を検出することにより、第１のアンド素子７へ信号を送る。
【００１２】
人感センサ２および画像処理装置５のそれぞれは、第２のアンド素子８へ送信可能となっている。人感センサ２は、人感センサ２がかご１内の人を検出することにより、第２のアンド素子８へ信号を送る。画像処理装置５は、画像処理装置５がかご１内における人の暴れ動作を検出することにより、第２のアンド素子８へ信号を送る。
【００１３】
第１のアンド素子７および第２のアンド素子８のそれぞれは、オア素子９へ送信可能となっている。第１のアンド素子７は、第１のアンド素子７が人感センサ２および高音声センサ３の両方から信号を受けることにより、オア素子９へ信号を送る。第２のアンド素子８は、第２のアンド素子８が人感センサ２および画像処理装置５の両方から信号を受けることにより、オア素子９へ信号を送る。
【００１４】
オア素子９は、送信装置１０へ送信可能となっている。オア素子９は、オア素子９が第１のアンド素子７および第２のアンド素子８の少なくとも何れか一方から信号を受けることにより、送信装置１０へ信号を送る。
【００１５】
送信装置１０は、ＮＴＴ回線１１を介して、情報センタ表示部（外部）１２へ送信可能となっている。送信装置１０は、オア素子９から信号を受けることにより、かご１内に異常が発生した旨の信号を情報センタ表示部１２に送る。なお、送信装置１０は、ＮＴＴ回線１１を介さず、例えば、その他の回線や電波を用いて、情報センタ表示部１２へ送信してもよい。情報センタ表示部１２は、送信装置１０から、かご１内に異常が発生した旨の信号を受けることにより、かご１内に異常が発生した旨を表示する。
【００１６】
エレベータのかご内監視装置は、人感センサ２、高音声センサ３、監視カメラ４、画像処理装置５、映像録画装置６、第１のアンド素子７、第２のアンド素子８、オア素子９および送信装置１０から構成されている。
【００１７】
次に、エレベータのかご内監視装置の動作について説明する。かご１内に人がいなく、かつ、かご１の周囲の騒音が大きい場合には、かご１内の音は、高音声センサ３により検出されるものの、かご１内の人は、人感センサ２により検出されず、また、かご１内の人の暴れ動作は、画像処理装置５により検出されない。したがって、高音声センサ３から第１のアンド素子７および第２のアンド素子８に信号が送られるものの、人感センサ２から第１のアンド素子７に信号が送られず、また、画像処理装置５から第２のアンド素子８に信号が送られないので、オア素子９には第１のアンド素子７および第２のアンド素子８の何れからも信号が送られない。これにより、高音声センサ３がかご１外の騒音を誤検出した場合であっても、送信装置１０から情報センタ表示部１２にかご１内に異常が発生した旨の信号が送られることが防止される。
【００１８】
また、かご１内に人がおり、かご１内に異常が発生し、かご１内の人が声を出せないものの動くことができる場合には、かご１内の音は、高音声センサ３により検出されないものの、かご１内の人は、人感センサ２により検出され、また、かご１内の人の暴れ動作は、画像処理装置５により検出される。これにより、第１のアンド素子７には、人感センサ２から信号が送られるものの、高音声センサ３からは信号が送られない。一方、第２のアンド素子８には、人感センサ２および画像処理装置５のそれぞれから信号が送られる。したがって、オア素子９には、第１のアンド素子７から信号が送られないものの、第２のアンド素子８から信号が送られる。その結果、送信装置１０には、オア素子９から信号が送られる。したがって、情報センタ表示部１２には、送信装置１０からかご１内に異常が発生した旨の信号が送られる。
【００１９】
また、かご１内に人がいなく、かご１外からかご１内に照射された光の強弱等の変化が生じる場合には、画像処理装置５は、かご１内における人の暴れ動作があると誤検出をする。このとき、第１のアンド素子７には、人感センサ２および高音声センサ３の何れからも信号が送られない。一方、第２のアンド素子８には、画像処理装置５から信号が送られるものの、第２のアンド素子８には、人感センサ２から信号が送られない。したがって、オア素子９には、第１のアンド素子７および第２のアンド素子８の何れからも信号が送られない。これにより、送信装置１０には、オア素子９から信号が送られない。その結果、送信装置１０から情報センタ表示部１２にかご１内に異常が発生した旨の信号が送られることが防止される。
【００２０】
また、かご１内に人がおり、かご１内の人に異常が発生し、かご１内の人が声を出せるものの動くことができない場合には、かご１内の人の暴れ動作は、画像処理装置５により検出されないものの、かご１内の人は、人感センサ２により検出され、また、かご１内の音は、高音声センサ３により検出される。これにより、第１のアンド素子７には、人感センサ２および高音声センサ３のそれぞれから信号が送られる。また、第２のアンド素子８には、画像処理装置５から信号が送られないものの、人感センサ２から信号が送られる。したがって、オア素子９には、第２のアンド素子８からは信号が送られないものの、第１のアンド素子７から信号が送られる。その結果、送信装置１０には、オア素子９から信号が送られる。したがって、情報センタ表示部１２には、送信装置１０からかご１内に異常が発生した旨の信号が送られる。
【００２１】
以上説明したように、この発明の実施の形態１に係るエレベータのかご内監視装置によれば、送信装置１０は、人感センサ２がかご１内の人を検出し、さらに、高音声センサ３がかご１内の音を検出することにより、かご１内に異常が発生した旨の信号を情報センタ表示部１２へ送信するので、かご１内に人がいないときには、高音声センサ３がかご１の周囲で発生した騒音を誤検出しても、かご１内に異常が発生した旨の信号が情報センタ表示部１２に送信されることが防止される。これにより、かご１内に発生した異常をより正確に検出して、かご１内に異常が発生した旨の信号を情報センタ表示部１２に送信することができる。
【００２２】
また、エレベータのかご内監視装置は、かご１内の映像を撮影する監視カメラ４と、監視カメラ４により撮影された映像を用いて、かご１内における人の暴れ動作を検出する画像処理装置５とをさらに備え、送信装置１０は、人感センサ２がかご１内の人を検出し、さらに、画像処理装置５がかご１内の人の暴れ動作を検出することにより、かご１内に異常が発生した旨の信号を情報センタ表示部１２に送信するので、かご１内の人が声を発することができない場合であっても、かご１内の人が暴れ動作をすることにより、かご１内の異常を検出することができる。
【００２３】
なお、上記実施の形態１では、人感センサ２がかご１内の人を検出し、さらに、画像処理装置５がかご１内の人の暴れ動作を検出することにより、かご１内に異常が発生した旨の信号を情報センタ表示部１２に送信する送信装置１０について説明したが、画像処理装置５がかご１内の人の暴れ動作を検出することにより、かご１内に異常が発生した旨の信号を情報センタ表示部１２に送信する通報装置であってもよい。
【００２４】
また、上記実施の形態１では、かご１内の人の暴れ動作を検出する画像処理装置５を備えたエレベータのかご内監視装置について説明したが、画像処理装置５を備えないエレベータのかご内監視装置であってもよい。この場合、第２のアンド素子８およびオア素子９は不要であり、第１のアンド素子７から送信装置１０に信号が送られるようにする。
【００２５】
また、上記実施の形態１では、人検出装置として、かご１内の人から発せられる赤外線を受けることによりかご１内の人を検出する人感センサ２について説明したが、これに限らず、例えば、かご１内の画像を撮影し、撮影された画像の変化を検出することにより、かご１内の人を検出する等、その他の方法によりかご１内の人を検出する人感センサであってもよい。
【００２６】
また、上記実施の形態１では、人感センサ２および高音声センサ３のそれぞれから信号が送られる第１のアンド素子７を備えたエレベータのかご内監視装置について説明したが、第１のアンド素子７を備えないエレベータのかご内監視装置であってもよい。この場合、人感センサ２がかご１内の人を検出したときにのみ、高音声センサ３は、所定の時間だけ、かご１内の音を検出可能とする。高音声センサ３は、高音声センサ３がかご１内の音を検出したときに、オア素子９へ送信する。これにより、エレベータのかご内監視装置の構成を簡単にすることができる。
【００２７】
また、上記実施の形態１では、人感センサ２および画像処理装置５のそれぞれから信号が送られる第２のアンド素子８を備えたエレベータのかご内監視装置について説明したが、第２のアンド素子８を備えないエレベータのかご内監視装置であってもよい。この場合、人感センサ２がかご１内の人を検出したときのみ、画像処理装置５は、所定の時間だけ、かご１内における人の暴れ動作を検出可能とする。画像処理装置５は、画像処理装置５がかご１内における人の暴れ動作を検出したときに、オア素子９へ送信する。これにより、エレベータのかご内監視装置の構成を簡単にすることができる。
【符号の説明】
【００２８】
１  かご、２  人感センサ（人検出装置）、３  高音声センサ（音検出装置）、４  監視カメラ（撮影装置）、５  画像処理装置（動作検出装置）、６  映像録画装置、７  第１のアンド素子、８  第２のアンド素子、９  オア素子、１０  送信装置、１１  ＮＴＴ回線、１２  情報センタ表示部。
【図１】
2012012127.tif 000003